(57)【要約】【課題】  従来に無い新規な構造で、バンド用三折式中留構造を提供することにある。【解決手段】  バンドに取り付けて三折式中留となる上箱２０と中板３０と下板４０とを備えたバンド用三折式中留構造である。下板４０へ嵌合する中板３０には、出没自在な可動係止部３２と、下板４０には、中板３０の突出した可動係止部３２を係止させる切欠係止部４２とを備える。【選択図】  図１
2008289638.tif 000002
【特許請求の範囲】
【請求項１】
バンドに取り付けて三折式中留となる上箱と中板と下板とを備えたバンド用三折式中留構造であって、
下板へ嵌合する中板には、出没自在な可動係止部と、
下板には、中板の突出した可動係止部を係止させる切欠係止部とを備えたことを特徴とするバンド用三折式中留構造。
【請求項２】
可動係止部と連動し、可動係止部を没入させる操作ボタン（プッシュボタン）を備えたことを特徴とする請求項１記載のバンド用三折式中留構造。
【請求項３】
可動係止部と中板とが回動自在に連結されていることを特徴とする請求項１又は２記載のバンド用三折式中留構造。
【請求項４】
操作ボタンの操作に連動して、上箱と可動係止部とを係合させる係合機構を備えたことを特徴とする請求項１から３のいずれかに記載のバンド用三折式中留構造。
【請求項５】
請求項１から４のいずれかに記載のバンド用三折式中留構造を備えた腕時計。
【発明の詳細な説明】
【技術分野】
【０００１】
本発明は、バンドに取り付けて三折式中留となる上箱と中板と下板とを備えたバンド用三折式中留構造に関するものである。
【背景技術】
【０００２】
バンド用三折式中留構造に関する先行文献としては、従来、以下のようなものが存在している。
【０００３】
特許文献１は、図４に示すものである。具体的には、留め金が、２つの側部材（４）を備えた剛直なベース（１）と、ベース（１）の端部にヒンジ連結されて、側部材（４）間に折り畳むことができる少なくとも１つの折り畳みアーム（２）と、アーム（２）を時計バンドランドに連結するキャップ（３）とを含む。そのアーム（２）は２つの平行なブランチ（１０）を含み、各ブランチは、側部材（４）に留め付けられるフック（３０）を備えている。また、ブランチ（１０）のヘッド部分（１４）はばねバー（２３）によって押し離されており、その各々はキャップ（３）用のジャーナルとして機能する外側押しボタン（１５）を備えている。そして、留め金を解除して開くためには、２つの押しボタンを押し合わせるだけでよい構造となっている。なお、上記符号は、図４に示すものである。
【０００４】
特許文献２は、図５に示すものである。具体的には、ファスニングモジュラーが、内曲板（１）、外曲板（２）及びカバー（３）からなっている。内曲板（１）は外曲板（２）の狭い溝の中に嵌め込みことができる。内曲板（１）に凸状ボタン（１−４）を、外曲板（２）に凹部（２−４）を夫々設け、凸状ボタン（１−４）と凹部（２−４）のそれぞれの形状、位置及び大きさは互いに対応し、整合する。凸状ボタン（１−４）と凹部（２−４）との係合及びその解除によって、腕時計バンドの掛け・外しが行われる。カバー（３）は螺子（４）を介して内曲板（１）に回転可能に連結される。カバー（３）の貫通孔（３−１）は腕時計バンドと連結され、外曲板（２）は円柱体（２−２）を介して腕時計バンドに連結される構造となっている。なお、上記符号は、図５に示すものである。
【０００５】
【特許文献１】特開平１１−２０６４２５号公報
【特許文献２】実用新案登録第３０６５１０２号公報
【発明の開示】
【発明が解決しようとする課題】
【０００６】
これに対して、本願発明者は、上記特許文献１及び２とは異なる構造で、バンド用三折式中留を提供すべく、種々の研究・開発を行い、本願発明を完成するに至った。
【課題を解決するための手段】
【０００７】
上記目的を達成するために、第１の発明は、バンドに取り付けて三折式中留となる上箱と中板と下板とを備えたバンド用三折式中留構造であって、下板へ嵌合する中板には、出没自在な可動係止部と、下板には、中板の突出した可動係止部を係止させる切欠係止部とを備えたことを特徴とするものである。
第２の発明は、可動係止部と連動し、可動係止部を没入させる操作ボタン（プッシュボタン）を備えたことを特徴とするものである。
第３の発明は、可動係止部と中板とが回動自在に連結されていることを特徴とするものである。
第４の発明は、操作ボタンの操作に連動して、上箱と可動係止部とを係合させる係合機構を備えたことを特徴とするものである。
第５の発明は、上記第１から４のバンド用三折式中留構造を備えた腕時計である。
【発明の効果】
【０００８】
本発明によれば、以下の効果を有する。
（１）中板に設けられた可動係止部と下板に設けられた切欠係止部とを係止又は非係止させることで、バンドの着脱を容易・確実に行えるバンド用三折式中留を提供できた。
（２）操作ボタンを備えることで、中留の係止（可動係止部と切欠係止部の係止）を簡単に解除できるバンド用三折式中留を提供できた。
（３）可動係止部と中板とが回動自在に連結することで、中留部材の可動範囲が広がり、操作性の高いバンド用三折式中留を提供できた。
（４）操作ボタンの操作に連動して、上箱と可動係止部とを係合させる係合機構を備えることで、上箱と中板の係合又は非係合を容易・確実に行えるバンド用三折式中留を提供できた。
（５）三折式中留は、皮革バンドに限らず、メタルバンドや樹脂バンド等全てのバンドに対応できる。
【発明を実施するための最良の形態】
【０００９】
本発明の実施形態を図面に基づいて説明する。
図１は、本発明の基本構造（第１実施形態）を示す説明図である。
本発明の三折式中留構造１０は、上箱２０と中板３０と下板４０とを備えてなり、三折可能に連結されたものである。
上箱２０は、ツク棒２１を備え、小穴７１を有する剣先側バンド（腕時計の６時側に付くバンド）７０に取り付けられる。
また、下板４０は、略コ字形の接続部材７６を介してもう一方の尾錠側バンド（腕時計の１２時側に付くバンド）７５に取り付けられる。
【００１０】
中板３０は、略Ｕ字状に形成された下板４０の内溝４１へ嵌合する。そして、中板３０には、中留本体３１を備える。中留本体３１は、中留本体３１の外側へ突出するように付勢される出没自在な可動係止部３２，３２を有し、操作ボタン（プッシュボタン）３３，３３によって可動係止部３２，３２を没入できるようになっている。
詳しくは、図示省略するが、弾性部材を介して外側へ付勢するように配される操作ボタン３３，３３と可動係止部３２，３２とは連動している。そして、この操作ボタン３３，３３を内側へ押すことで、連動する可動係止部３２，３２も内側へ没入するのである。
【００１１】
また、下板４０には、中板３０の突出した可動係止部３２，３２を係止させる切欠係止部４２，４２を有する。
従って、中板３０を下板４０の内溝４１へ嵌合し、可動係止部３２，３２が切欠係止部４２，４２に係止することで、三折式中留構造１０は三折状態へ閉塞される。他方、操作ボタン３３，３３を用いて可動係止部３２，３２を没入させて可動係止部３２，３２が切欠係止部４２，４２との係止を解除することで、三折式中留構造１０は三折状態から開放される。この動作を利用することで、バンドの容易・確実な着脱が可能になる。
【００１２】
図２は、本発明の第２実施形態を示す説明図である。
図２で示す第２実施形態では、中留本体３１（可動係止部３２）と中板３０とが回動自在に連結されていることに特徴がある。すなわち、図１に示す第１実施形態（基本構造）では、中留本体３１（可動係止部３２）が中板３０に固定されていたが、第２実施形態では、ヒンジ部３４を設けて、中留本体３１（可動係止部３２）と中板３０とが相互に回動できるようにしたものである。これによって、三折式中留構造１０の開放時において、中留部材（上箱２０・中板３０・下板４０）の可動範囲が広がり、三折式中留構造１０の操作性が向上する。なお、上箱２０と中板３０を連結するヒンジ部３５をＲ形状とすることで、剣先側バンド７０との当接が緩和されて、バンドの損傷を防止できる。
【００１３】
図３は、本発明の第３実施形態を示す説明図である。
図３で示す第３実施形態では、操作ボタン３３，３３の操作に連動して、上箱２０と中留本体３１（可動係止部３２）とを係合させる係合機構としたことに特徴がある。すなわち、中留本体３１の操作ボタン３３，３３の操作に連動する係合突起３６，３６を設け、上箱２０にこの係合突起３６，３６に対応する係合孔２２，２２を形成する。こうすることで、操作ボタン３３，３３の操作によって上箱２０と中板３０（中留本体３１）の係合又は非係合を容易・確実に行えるようになり、三折式中留構造１０の操作性も向上する。
【００１４】
以上、上記第１〜第３実施形態は、全て皮革バンドに取り付けた三折式中留構造で説明したが、取り付けるバンドは皮革バンドに限らず、メタルバンドや樹脂バンド等全てのバンドに使用してよい。
【産業上の利用可能性】
【００１５】
本発明は、時計バンドに限らず、装身具用バンドや被服用バンド、その他荷役用バンドなど物を締結するために用いられるバンド類に広く利用できるものである。
【図面の簡単な説明】
【００１６】
【図１】本発明の基本構造（第１実施形態）を示す説明図。
【図２】本発明の第２実施形態を示す説明図。
【図３】本発明の第３実施形態を示す説明図。
【図４】従来技術の特許文献１を示す参考図。
【図５】従来技術の特許文献２を示す参考図。
【符号の説明】
【００１７】
１０  三折式中留構造
２０  上箱    ２１  ツク棒            ２２  係合孔
３０  中板    ３１  中留本体          ３２  可動係止部
３３  操作ボタン（プッシュボタン）    ３４  ヒンジ部        ３５  ヒンジ部
３６  係合突起
４０  下板    ４１  内溝    ４２  切欠係止部
７０  剣先側バンド（６時側バンド）      ７１  小穴
７５  尾錠側バンド（１２時側バンド）    ７６  接続部材
【図１】
2008289638.tif 000003
【図２】
2008289638.tif 000004
【図３】
2008289638.tif 000005
【図４】
2008289638.tif 000006
【図５】
2008289638.tif 000007